(57)【特許請求の範囲】
【請求項１】
（ａ）中央部（４３）と内面（４１）とを備える細長い筐体（２２、１２２、２２２）と、
（ｂ）長手方向に延在する３つの光学照明フィルム部分（２６ａ−ｃ、１２６ａ−ｃ、２３４ａ−ｃ）を含み、該筐体（２２、１２２、２２２）内に配置されたライトガイド（３４、２３４）であって、前記３つの光学照明フィルム部分は、断面が三角形となるように前記筐体内で配置され、該筐体中央部（４３）と該筐体の内面（４１）との間の最短距離が、前記光学照明フィルムの各部分（２６ａ−ｃ、１２６ａ−ｃ、２３４ａ−ｃ）の曲率半径よりも短いライトガイド（３４、２３４）と、
（ｃ）前記各光学照明フィルムの隣接した部分（２６ａ−ｃ、１２６ａ−ｃ、２３４ａ−ｃ）の間において前記筐体（２２、１２２、２２２）から半径方向に内向きに延在する少なくとも１つの長手方向に延在するエクストラクタ素子（２８、１２８）であって、反射散乱面を有する前記エクストラクタ素子と
（ｄ）前記ライトガイド（３４、２３４）内に光を反射し戻すように配置された少なくとも１つの後方反射体部分（２４ａ、ｂ、１２４ａ、ｂ、２２４）であって、前記三角形の一辺は発光面であり、それ以外の辺に設けられている前記各光学照明フィルム部分の、前記発光面とは反対側の部分に設けられた後方反射体部分と、
を含み、
前記筐体（２２、１２２、２２２）の断面が円形であり、前記光学照明フィルムの各部分（２６ａ−ｃ、１２６ａ−ｃ、２３４ａ−ｃ）が弓状であり、前記ライトガイド（３４、１３４）が、前記３つの光学照明フィルム部分（２６ａ−ｃ、１２６ａ−ｃ、２３４ａ−ｃ）を含む、ライトガイド照明器具。
【発明の詳細な説明】
【０００１】
技術分野
本発明はプリズム型ライトガイド照明器具に関する。本発明は、特に、１枚の光学照明フィルムで形成したライトガイドの最小曲率半径より小さい半径で形成することができ、ライトガイド内における結露を防ぐ空隙を含み、その光学照明フィルムを破損することなく各照明器具構成要素をその照明器具の筐体に対して容易に摺動しながら挿入する／取出すことのできるプリズム型ライトガイド照明器具に関する。
【０００２】
発明の背景
集中型照明系で広い面積を照明すると多くの利点があることから、これまで長い間こうした照明が望まれてきた。例えば、分散型光源からの光の場合には熱の発散が難しいのに対して、中央部集中型光源から発生する熱も容易に発散することができ、中央部集中型光源に結合された配光系から放たれる熱は最小量であるか、まったくないかのいずれかであるため、中央部集中型光源は、多くの別個の光源より管理が容易である。こうした種類の系では、光の伝送および配光にライトガイド照明器具が用いられる。
【０００３】
プリズムライトガイドおよびライトガイド照明装置が、特許権利化された従来技術において周知である。例えば、Ｗｈｉｔｅｈｅａｄに付与された米国特許第４，２６０，２２０号には、中央光源から光を遠隔位置まで伝送あるいは「パイピング」する、アクリル系プラスチックあるいは光学的に透明なガラスなどの透明な誘電体材料で製造された細長い中空ライトガイド構造体が開示されている。このライトガイドには、「４５°の関係（ｏｃｔａｔｕｒｅ）」にある実質的に平坦な内面および外面が含まれている。このライトガイドは、好ましくはそれぞれの断面が長手方向に一定である１枚以上の細長い部分で形成されている。このライトガイドの断面構造を、角部を形成するように４枚の細長い壁部を結合して製造した中空の矩形あるいは四角形とすることができる。このライトガイドには、誘電体材料の外面を破損させないように外側ジャケットあるいはカバーを設けることができる。ライトガイドの角部をコーナストリップあるいはストリップバネでその保護ジャケット内に保持する。
【０００４】
Ｗｈｉｔｅｈｅａｄに付与された米国特許第４，６１５，５７９号には、ライトガイドの長手方向に光を放出する光放出機構を含むプリズムライトガイド系向け照明器具が開示されている。この光放出機構は、非平坦面、粗い外面あるいは外側波面の丸い角部とすることができる。Ｗｈｉｔｅｈｅａｄに付与された米国特許第４，７８７，７０８号には、例えばライドガイドの単位長さに沿って漏れる光量を一定にして照明を均一にするように、ライトガイドからの発光を継続して調節するさまざまな技術がさらに開示されている。漏れる光をすべて照明器具内に反射し戻して所望面から放出できるように、光を漏れ出させたくない外面のすべてを、鏡、白色塗料、白色プラスチック、白色紙、あるいは白色布帛などの反射率の高い拡散材料でカバーすることができる。
【０００５】
米国特許第４，２６０，２２０号（Ｗｈｉｔｅｈｅａｄに付与）、米国特許第５，６６１，８３９号（Ｗｈｉｔｅｈｅａｄに付与）、米国特許第５，７１５，３４７号（Ｗｈｉｔｅｈｅａｄに付与）および米国特許第４，８０５，９８４号（Ｃｏｂｂ，Ｊｒ．に付与）に開示されているように、ライトガイドおよびライトガイド照明器具の断面をさまざまな形状にして製造することができる。さらに、ライトガイドを、米国特許第４，２６０，２２０号（Ｗｈｉｔｅｈｅａｄに付与）に開示されているようにアクリル系プラスチックあるいは光学的に透明なガラスを含む透明な誘電体材料、あるいは米国特許第５，６６１，８３９号（Ｗｈｉｔｅｈｅａｄに付与）に開示されているように多層光学フィルムなどのさまざまな材料を用いて製造することができる。
【０００６】
従来技術による一般のライトガイド照明器具を図１に示す。照明器具２の断面は円形であり、器具２には、外殻４と、外殻４の内面の一部に密着して嵌合している後方反射体６と、後方反射体６に隣接して配置されている光学照明フィルム８とが含まれている。光学照明フィルム８は連続状のフィルムシートであり、組み立て前にフィルム８の内面に直接適用されたエクストラクタ材料１０を具備している。このように、照明器具２には、外殻４と光学照明フィルム８との間に密着して挟持された後方反射体６が、その内面および外面を接触させた状態で具備されている。光学照明フィルム８は、フィルムを曲げて外殻４内に挿入することで発生する摩擦力により一定位置に保持されている。
【０００７】
しかしながら、従来のライトガイド照明装置には数多くの制約や欠点がある。例えば、従来のライトガイド照明器具では、光学照明フィルム、後方反射体および外殻を密着させているため、光学照明フィルムの内面に結露ができて光路を分断して、光を不当に抽出してしまう結果になりがちである。さらに、光学照明フィルム、後方反射体および外殻を接触させているため、これらを、破損させることなく個別にライトガイド照明装置内外に摺動させることができない。すなわち、光学照明フィルム、後方反射体および外殻を互いに接触した状態で照明器具を構成する場合、これらの構成要素間に摺動が起こると、光学照明フィルムおよび後方反射体に引掻傷がつき、照明器具の性能が大幅に低下する。したがって、従来のライトガイド照明器具では、光学照明フィルム、後方反射体あるいは外殻を取外す、交換あるいは変更するためには、照明器具を完全に分解しなければならない。
【０００８】
さらに、従来のライトガイド照明器具の直径は、そのライトガイドの形成に用いる光学照明フィルムの可撓性により左右される。すなわち、望ましい光学性能を備えている特定の市販材料では現在のところ、硬いことから曲率半径の小さな断面として巻くとひび割れる傾向にあるため、直径の小さなライトガイド照明器具を形成することはできない。市販のポリカーボネート製光学照明フィルムで形成したライトガイド照明器具は、例えば直径がおよそ４インチを下回るライトガイドとして形成されるとひび割れを起こす。米国特許第５，７４５，６３２号（Ｄｒｅｙｅｒに付与）にて説明されているように、具体的なフィルムを巻くことのできる最小円柱直径の近似値は、式Ｄ＝Ｔ×Ｃにより決定され、このときＤはフィルムの直径、Ｔは、平滑面から溝の谷部までを測定したフィルムの厚さＴ、Ｃはその具体的材料の弾性率に付随する定数である。
【０００９】
従来のライトガイド照明器具系は通常、所望の長さに形成され、取扱および運搬を容易にするために別個の部分として製造することができる。最近では、米国特許第５，９０１，２６６号に記載されているように数多くの別個モジュールを利用し、これらをつなぎ合わせて連結体を形成するモジュール式ライトガイド照明器具系が開発されている。各モジュールは、その連結体内においてモジュールが占める位置に依存して、エクストラクタが確実に同じ量の光を各モジュールから発光させられる寸法となっている点を除き、同じものである。配光連結体として組み立てられる前に各モジュールが製造されるため、配光連結体の製造には、それぞれ特異な寸法であるエクストラクタをそれぞれ備えた大量のモジュールを管理しなければならない。このように、現在のライトガイド照明器具系はその所期最終用途により設計しなければならない上、組み立てた後の変更が容易ではない。
【００１０】
したがって、ライトガイドの形成に用いる材料の種類にかからわず、比較的小さな断面形状に形成可能なライトガイド照明器具を提供できれば望ましい。また、水分が光学照明フィルム上に結露とならないように、光学照明フィルムガイド、後方反射体および保護用外側筐体との間に空隙を設け、光学照明フィルム、後方反射体およびエクストラクタ構成要素を破損させることなくその保護筐体の内外に容易に摺動できるライトガイド照明器具を提供できれば望ましい。さらに、特定の最終用途に合致するように容易に変更あるいは注文に応じて製造することができることから、異なるライトガイド照明器具系の製造に必要なモジュールの在庫を削減でき、かつ最終用途に基づいて各ライトガイド照明器具系を別個に設計する必要を回避することができるライトガイド照明器具を提供できれば望ましい。また、組み立ておよび修理が容易であり、光学照明フィルムを破損させることなく各構成要素を容易に交換できるライトガイド照明器具を提供できれば望ましい。
【００１１】
発明の概要
本発明は、細長い筐体と、少なくとも２本のその筐体内に配置されて長手方向に延在する光学照明フィルム部分を含むライトガイドとを含むライトガイド照明器具を提供する。筐体の中央部と筐体の内面との間の最短距離が光学照明フィルムの各部分の曲率半径より小さくなるように、この筐体およびライトガイドを構成および配置する。
【００１２】
本明細書でいう光学照明フィルム部分とは、照明器具の筐体に隣接する２つの端部とその端部と端部との間に延在して筐体とは距離を置いて離れている中間部分とを含む光学照明フィルム材料部分をいう。したがって、光学照明フィルムの複数部分を１枚の連続シート材料から形成しても、あるいは各部分を別個の材料片としてもよいことを理解されたい。
【００１３】
この照明器具には、ライトガイド内に長手方向に延在するエクストラクタ素子を設けて光を散乱させて、この照明器具から光を発光させることができる。このエクストラクタ素子を、光学照明フィルムの内面に固定された拡散反射材料シートとしても、あるいは光学照明フィルムの部分間で筐体から半径方向に内側に延在する別個の構成要素としてもよい。この照明器具に、光をライトガイド内に反射し戻す後方反射体を設けてもよい。この後方反射体の位置として、筐体の外面上、筐体の内面上、あるいは筐体とそれに対応する光学照明フィルム部分との間で一般に距離を置いた位置が可能である。さらに、筐体自体を後方反射体として機能する材料で形成して、別個の後方反射体を不要にすることもできる。
【００１４】
一実施態様において、光学照明フィルムの複数片、後方反射体部分、およびエクストラクタ素子をそれぞれ独立して摺動自在に筐体内に保持する。さらに、筐体、光学照明フィルムおよび後方反射体部分を、筐体と後方反射体部分との間、および後方反射体とそれに対応する光学照明フィルム部分との間にギャップを設けるように配置することにより、光学照明フィルムの内面に結露を形成させないようにすることができる。その上、後方反射体部分、光学照明フィルム部分およびエクストラクタ素子は、それぞれ互いに筐体内において距離を置いた関係で別個に摺動自在に保持されているため、これらの構成要素をそれぞれ別々に、破損させることなく摺動して筐体に出し入れすることができる。このような構造をとることにより、各モジュールを連結体内の位置および最終用途に応じて個別に製造することができるため、照明器具モジュールの連結体を容易に組み立てられ、こうした連結体の製造に必要なモジュールの在庫を削減することができる。
【００１５】
光学照明フィルム部分および後方反射体部分を弓状にすることにより、各部分をその曲げ力を利用して筐体内において一定位置に保持することができる。別の実施形態において、この照明器具には、光学照明フィルムの端部、後方反射体部分およびエクストラクタ素子を摺動自在に収容するように適合された接合部材を具備する。この実施形態では、この接合部材により、光学照明フィルム部分、後方反射体部分およびエクストラクタ素子を筐体内に保持する。したがって、光学照明フィルム部分および後方反射体部分を弓状にする必要はない。
【００１６】
ライトガイド照明器具は光学照明フィルムの複数部分で構成されているため、光学照明フィルムの最小曲率半径を下回る半径の照明器具を形成することができる。一実施形態において、ライトガイド照明器具には、３枚の光学照明フィルムと、半径方向に内向きにかつ長手方向に延在する３つのエクストラクタ素子とを具備している。具体的な実施形態では、光学照明フィルムの各部分は弓状で、その曲率半径が約２インチであり、その筐体は円柱状で、その直径が約２インチを下回っている。
【００１７】
別の実施形態において、カラー、グラフィックあるいは他の標識を備えた発光パネルを、光が通過する光学照明フィルムの一部に隣接して配置する。このような発光パネルは、美観を重視した照明の場合に特に望ましく、これを利用すれば、照明器具を最終用途による注文に応じて迅速かつ容易に製造することができる。
【００１８】
詳細な説明
図２を参照すると、細長い外側筐体２２、筐体２２内に配置され、長手方向に延在する光学照明フィルム２６ａ〜ｃの弓状部分、筐体２２と光学照明フィルム部分２６ａ、２６ｂそれぞれとの間に配置され、長手方向に延在する弓状後方反射体部分２４ａ、２４ｂ、および長手方向に延在するエクストラクタ素子２８を含むライトガイド照明器具２０が図示されている。筐体２２と光学照明フィルム部分２６ｃとの間には後方反射体部分を設けずに、光を逃がすことのできる発光領域３０を画成する。この照明器具２０の発光領域３０内には任意に、光学照明フィルム部分２６ｃと筐体２２の内面との間に距離をおいた位置で発光パネル４０を設けることができる。この発光パネル４０に、カラー、印刷、グラフィックあるいは他の標識を具備させることができる。
【００１９】
筐体２２を、押出加工によるポリカーボネートなどの硬質材料で形成して、衝撃および、埃、湿度あるいは虫などの環境による汚染物により破損しないように後方反射体材料２４ａ、２４ｂ、光学照明フィルム２６ａ〜ｃおよびエクストラクタ素子２８を保護する。筐体を継ぎ目なく形成することができるため、戸外用途に特に望ましい。筐体２２は中空の円形断面形状であるが、これ以外にも、正方形、矩形および楕円形などの断面形状の筐体も利用可能である。
【００２０】
本発明の一実施形態の特徴形状によると、光学照明フィルム２６ａ〜ｃの各部分が含む端部は、筐体２２の内面４１に隣接しており、光学照明フィルム２６ａ〜ｃの各部分が含む、その端部と端部との間である中間部分は、筐体２２の内面４１から距離を置いて離れている。したがって、筐体２２の中央部４３と筐体２２の内面４１との間の最短距離は、光学照明フィルム２６ａ〜ｃの各部分の曲率半径より短い。
【００２１】
光学照明フィルム２６ａ〜ｃは筐体２２内において摺動自在に保持されており、組合わされると船首形状の三角形断面をしたライトガイド３４となる。しかしながら、ライトガイド３４に光学照明フィルム部分を３つ具備しなくてもよく、２つ、４つあるいはこれ以上の部分を具備したライトガイドも本発明の範囲内である。光学照明フィルム２６ａ〜ｃのそれぞれは、それを曲げると発生する力を利用して一定位置に保持されている。光学照明フィルム２６ａ、２６ｂはそれぞれ、後方反射体部分２４ａ、２４ｂから距離を置いて離れ、これらに対してほぼ位置合わせされて、各後方反射体２４ａ、２４ｂとそれに対応する光学照明フィルム部分２６ａ、２６ｂとの間にそれぞれギャップ３６を画成し、さらに、内部反射された光を伝播する中空内部空間３８を画成している。ギャップ３６および中空内部空間３８の断面はそれぞれ長手方向にほぼ一定である。
【００２２】
光学照明フィルムに適した材料の例として、ポリカーボネートあるいはアクリル樹脂が挙げられる。これ以外にも、ポリプロピレン、ポリウレタン、ポリスチレン、ポリ塩化ビニルなども有用である。ポリカーボネートおよびアクリル樹脂は、高い屈折率と物性、すなわち耐候性、紫外線抵抗性、寸法安定性および温度耐性の面で特に重要である。市販のポリカーボネート製光学照明フィルムは、ミネソタ州セントポールのＭｉｎｎｅｓｏｔａ  Ｍｉｎｉｎｇ  ａｎｄ  Ｍａｎｕｆａｃｔｕｒｉｎｇ  ＣｏｍｐａｎｙからＯｐｔｉｃａｌ  Ｌｉｇｈｔｉｎｇ  Ｆｉｌｍ  ２３０１として入手可能である。これ以外の適した光学フィルムの例として、米国特許第４，２６０，２２０号（Ｗｈｉｔｅｈｅａｄに付与）、同第４，９０６，０７０号（Ｃｏｂｂ，Ｊｒ．に付与）、同第５，０５６，８９２号（Ｃｏｂｂ，Ｊｒ．に付与）内で説明されているフィルム、および米国特許第５，６６１，８３９号（Ｗｈｉｔｅｈｅａｄに付与）で説明されている高効率正反射ミラーフィルムおよびプリズム式フィルムが挙げられる。
【００２３】
ライトガイド照明器具は複数部分の光学照明フィルムで構成されているため、光学照明フィルムの最小曲率半径を下回る半径の照明器具を形成することができる。例えば図２に示しているように、各光学照明フィルム２６ａ〜ｃの曲率半径ｒｆが２インチであっても、曲率半径ｒｈが約１インチである筐体２２を形成することができ、結果として直径が２インチの照明器具２０が得られる。一方、従来の照明器具設計では、ポリカーボネート製光学照明フィルムの連続シートを使用する場合が多いため、４インチを下回る直径のロールに形成するとひび割れが起こる。また、別個部分として光学照明フィルムを設けると、各部分に異なる種類の光学照明フィルムを用いることができる。
【００２４】
後方反射体部分２４ａ、２４ｂを筐体２２の内面４１から距離をあけて配置することによりギャップ３２を画成する。各後方反射体部分２４ａ、２４ｂを筐体２２内に摺動自在に保持し、それを曲げて発生する力により一定位置に保持すると好ましい。後方反射体部分２４ａ、２４ｂは、照明器具２０に沿って伝播される光を照明器具２０内に反射して、光を所望する箇所からのみ出すように機能する。別の方法として、この後方反射体を筐体２２の外面に設けても、あるいは筐体２２の内面４３に固定してもよい。さらに、光を照明器具２０全体から発光させる用途では、後方反射体を設けない。後方反射体部分２４ａ、２４ｂを、拡散反射性の高い材料であればいずれで製造してもよい。適した後方反射体材料は、ウィルミントン州デラウェアのＥ．Ｉ．ｄｕ  Ｐｏｎｔ  ｄｅ  Ｎｅｍｏｕｒｓ  ａｎｄ  ＣｏｍｐａｎｙからＴＹＶＥＫとして入手可能である。この後方反射体に任意に裏打材を具備して、この後方反射体に所望の硬さあるいは剛性をもたせることができる。筐体として機能する十分に硬い後方反射体を具備して、別個の筐体を不必要とした照明器具も本発明の範囲内である。
【００２５】
光学照明フィルム部分２６ａ〜ｃおよび後方反射体部分２４ａ、２４ｂを弓状形状にすることにより、これらの部分を一定位置に保持できるだけでなく、より効率よく光を反射させて、通常環状後方反射体を有する従来の光源からより多くの光を捕捉することができる。
【００２６】
エクストラクタ素子２８は、光学照明フィルム部分２６ａ〜ｃの隣接する端部と端部との間で長手方向かつ半径方向に内向きに延在する。エクストラクタ素子２８は、そこに反射された光線を散乱させて、その反射光線を、発光領域３０を介してライトガイド３４から出すように作用する。半径方向に内向きに延在するエクストラクタ素子２８を設けることにより、出て行く光はすべてこのエクストラクタ素子により遮ぎられることがないため、光を、照明器具２０の、後方反射体のない外面全体３６０°から発光させることができる。エクストラクタ素子２８を筐体２２と一体形成しても、あるいは、筐体２２内外に摺動できる別個の構成要素として設けてもよい。
【００２７】
一般に、エクストラクタ素子２８の半径方向の寸法（すなわち高さ）あるいは幅は、実際は、ライトガイド３４内の光量は照明器具２０方向の距離により変化するが、照明器具２０の長手方向にかなり均一に光を発光できるように、照明器具２０方向の距離により変化する。エクストラクタ素子２８は、入射光を散乱させられるだけではなく、好ましくは反射性の高い散乱性白色材料を含むものとする必要がある。適した材料はミネソタ州セントポールの  Ｍｉｎｎｅｓｏｔａ  Ｍｉｎｉｎｇ  ａｎｄ  Ｍａｎｕｆａｃｔｕｒｉｎｇ  ＣｏｍｐａｎｙからＳＣＯＴＣＨＣＡＬとして入手可能である。このエクストラクタ材料を任意に、支持裏打材に設けて構造強度をさらに高めてもよい。
【００２８】
図３に、図２に示したものと同様の照明器具１２０を図示する。ただし、図３の照明器具は接合部材１４２を具備しており、後方反射体部分１２４ａ、１２４ｂおよび光学照明フィルム部分１２６ａ〜ｃは弓状ではなく平坦である。機能的には図２に示した器具と同様である図３における構成部分を、１００を足した同じ符合で示している。接合部材１４２を別個の部品としても、あるいは筐体１２２と一体押出加工してもよい。接合部材１４２に、各後方反射体部分１２４ａ、１２４ｂの端部、各光学照明フィルム部分１２６ａ〜ｃの端部、および各エクストラクタ素子１２８の端部を摺動自在に収容するように適合されたスロット１４４を設けると好ましい。
【００２９】
後方反射体部分１２４ａ、１２４ｂおよび光学照明フィルム部分１２６ａ〜ｃを接合部材１４２により一定位置に保持しているため、これらの構成要素を弓状にする必要はない。さらに、後方反射体部分１２４ａ、１２４ｂ、光学照明フィルム部分１２６ａ〜ｃ、エクストラクタ素子１２８および発光パネル１４０がこの接合部材１４２を介して筐体１２２に摺動自在に接続されており、これらが互いに距離を置いて位置しているため、これらの各構成要素を個々に破損させることなく筐体１２２の内外に容易に摺動させることができる。このため、この照明器具の組み立ておよび修理が容易になり、設計の柔軟性および注文に対する適応性が向上する。
【００３０】
図４に、別のライトガイド照明器具２２０を示す。機能的には図２に示した器具と同様である図４における構成部分を、２００を足した同じ符合で示している。照明器具２２０には、細長い外側筐体２２２と、筐体２２２の内面の一部に沿って固定された後方反射体２２４と、筐体２２２内にて距離を置いた関係で配置されて、ライトガイド２３４と後方反射体２２４との間の空隙２３６およびライトガイド２３４と筐体２２２との間の空隙２３７を画成している、長手方向に延在する三角形ライトガイド２３４が具備されている。この照明器具にはさらに、ライトガイド２３４の内面に固定された平坦なエクストラクタ素子２４６が具備されている。この照明器具を任意に、筐体２２２の外面に固定された後方反射体２２４を設けて製造することができる。しかしながら、こうした構造にすると、反射される光が、ライトガイド２３４に向けて反射される前に筐体２２２を通過しなければならないため、効率が低下する。
【００３１】
ライトガイド２３４を、厚みの薄いエンボス加工ラインを具備する１枚の光学照明フィルム連続シートで製造する。その厚みの薄いラインを設けることにより、シートを折り曲げ易くして、このラインが三角形ライトガイド２３４の２つの角部２４８を形成し、シートの両端部がライトガイド２３４の第３の角部２５０となる。ライトガイド２３４には、ライトガイドの角部２４８、２５０により規定される３つの部分２３４ａ〜ｃが含まれる。このライトガイド２３４を少し圧縮してライトガイド２３４を筐体２２２内に設置することにより、各部分２３４ａ〜ｃを外側にわずかに撓ませる。次いで、わずかに圧縮したライトガイド２３４を筐体２２２内に挿入して、後方反射体２２４に係合するまで外側に伸張させ、ライトガイドを筐体２２２内に摺動自在に保持する。あるいは、ライトガイド２３４を、図２および図３について説明したように光学照明フィルムの別片として形成してもよい。
【００３２】
以上、本発明のいくつかの実施形態について説明してきたが、当業者であれば、上述した本発明の概念を逸脱することなく、さまざまな変更および修正を加えられることは明白であろう。したがって、本発明の範囲は、本明細書に記載した構造に制限されるものではなく、請求の範囲に記載された構造およびその等価物によってのみ定められるものである。
【図面の簡単な説明】
本発明を、添付の図面を参照しながらさらに説明する。
【図１】  従来技術によるライトガイド照明器具を示す端面図である。
【図２】  本発明によるライトガイド照明器具を示す端面図である。
【図３】  接合部材を具備した、本発明の第２の実施形態を示す端面図である。
【図４】  本発明の第３の実施形態を示す端面図である。
【図１】
0004745574.tif 000002
【図２】
0004745574.tif 000003
【図３】
0004745574.tif 000004
【図４】
0004745574.tif 000005